(57)【要約】【課題】連続番組を記録するための予約情報を番組の最終回に応じて自動的に削除することが可能であるとともに、番組が最終回であるとの判別に係る誤認に起因し、誤って予約情報を削除してしまう虞のないデータ記録装置およびプログラムを提供することをその課題とする。【解決手段】連続番組を記録するための予約情報を記憶し、記憶した予約情報に従って番組を記録するデータ記録装置１０であり、記憶した予約情報により予約対象となる番組の番組名称を含む詳細情報を取得し、この詳細情報に基づいて、番組が最終回であるか否かを判別し、番組が最終回であると判別した場合、この番組の放送枠において次回放送される番組が、最終回であると判別した番組と同一の番組であるか否かをさらに判別し、同一の番組でないと判別した場合、最終回であると判別した番組を予約対象とする予約情報を削除するものである。【選択図】図１
2007274491.tif 000002
【特許請求の範囲】
【請求項１】
記録チャンネル、記録曜日、および記録時間帯に関する情報を含むとともに、連続番組の記録を予約するための情報である予約情報を記憶する予約情報記憶手段と、
記憶した前記予約情報に従って番組の記録を実行する番組記録手段と、
前記番組の名称、放送チャンネル、放送日および放送時間帯を含む番組詳細情報を取得する番組詳細情報取得手段と、
取得した前記番組詳細情報に基づいて、前記番組が最終回であるか否かを判別する番組終了判別手段と、
取得した前記番組詳細情報に基づいて、現在記録対象となる今回記録番組と、当該今回記録番組の次に記録対象となる次回記録番組と、が同一の番組であるか否かを判別する同一番組判別手段と、
前記番組終了判別手段により前記今回記録番組が最終回であると判別され、且つ前記同一番組判別手段により前記今回記録番組と前記次回記録番組とが同一の番組でないと判別された場合、前記今回記録番組が記録された後、前記予約情報を削除する予約情報削除手段と、を備えることを特徴とするデータ記録装置。
【請求項２】
前記予約情報の記録時間帯を変更する記録時間帯変更手段、をさらに備え、
前記番組終了判別手段により前記今回記録番組が最終回であると判別され、且つ前記同一番組判別手段により前記今回記録番組と前記次回記録番組とが同一の番組でないと判別した場合、前記同一番組判別手段は、
前記次回記録番組が前記今回記録番組に関連する番組であるか否かをさらに判別し、
前記次回記録番組が前記今回記録番組に関連する番組であると判別した場合、前記記録時間帯変更手段は、
取得した前記次回記録番組の前記番組詳細情報に含まれる放送時間帯に対応して、前記次回記録番組を記録対象とする前記予約情報の記録時間帯を変更し、
前記予約情報削除手段は、
前記次回記録番組が記録された後、前記予約情報を削除することを特徴とする請求項１に記載のデータ記録装置。
【請求項３】
前記予約情報が複数の場合であって、前記記録時間帯変更手段により前記複数の予約情報のうち何れか１の前記予約情報の記録時間帯を変更した結果、前記１の予約情報の記録時間帯の少なくとも一部が他の前記予約情報の記録時間帯と重複する場合、重複している旨を報知する時間帯重複報知手段、をさらに備えることを特徴とする請求項２に記載のデータ記録装置。
【請求項４】
前記番組詳細情報には前記番組の放送回数がさらに含まれることを特徴とする請求項１に記載のデータ記録装置。
【請求項５】
前記番組終了判別手段は、
前記番組詳細情報に加え、前記予約情報に従って記録を行った当該予約情報毎の記録回数に基づいて前記番組が最終回であるか否かを判別することを特徴とする請求項１に記載のデータ記録装置。
【請求項６】
前記番組終了判別手段により前記今回記録番組が最終回でないと判別され、且つ前記同一番組判別手段により前記今回記録番組と前記次回記録番組とが同一の番組でないと判別された場合、前記今回記録番組が記録された後、前記次回記録番組を記録対象とする前記予約情報を一時的に無効とする予約情報スキップ手段、をさらに備え、
前記同一番組判別手段は、
前記予約情報が無効状態にあるとき、前記今回記録番組と、前記次回記録番組の記録後に記録対象となる次々回記録番組と、が同一の番組であるか否かをさらに判別し、
前記今回記録番組と前記次々回記録番組とが同一の番組であると判別された場合、
前記予約情報スキップ手段は、
前記予約情報の無効状態を解除するとともに、
前記今回記録番組と前記次々回記録番組とが同一の番組でないと判別された場合、
前記予約情報削除手段は、
無効状態にある前記予約情報を強制削除することを特徴とする請求項１に記載のデータ記録装置。
【請求項７】
前記番組終了判別手段および前記同一番組判別手段による判別の実行日時が特定の期間内である場合、前記予約情報削除手段による前記強制削除機能をＯＦＦする削除機能ＯＦＦ手段、をさらに備えることを特徴とする請求項６に記載のデータ記録装置。
【請求項８】
前記番組終了判別手段により前記今回記録番組が最終回であると判別された場合、前記今回記録番組を記録対象とする前記予約情報を削除するか否かを問い合わせる削除可否問合せ手段、をさらに備え、
前記予約情報削除手段は、
前記削除可否問合せ手段に応じて削除可の指示が下された場合に、前記予約情報を削除することを特徴とする請求項１に記載のデータ記録装置。
【請求項９】
前記削除可否問合せ手段は、
前記予約情報を削除するか否かを問い合わせるための問合せ画面を表示する制御を行い、
前記問合せ画面には、前記予約情報、取得した前記今回記録番組の前記番組詳細情報、および前記予約情報に従って記録を行った記録回数、が表示されることを特徴とする請求項８に記載のデータ記録装置。
【請求項１０】
前記問合せ画面には、取得した前記次回記録番組の前記番組詳細情報がさらに表示されることを特徴とする請求項９に記載のデータ記録装置。
【請求項１１】
前記予約情報削除手段により前記予約情報を削除したことを報知する削除報知手段、をさらに備えることを特徴とする請求項１に記載のデータ記録装置。
【請求項１２】
コンピュータに、請求項１ないし１１の何れか１項に記載のデータ記録装置における各手段として機能させることを特徴とするプログラム。
【発明の詳細な説明】
【技術分野】
【０００１】
本発明は、番組を構成する、映像情報および音声情報の少なくとも何れかを記録するデータ記録装置およびプログラムに関するものである。
【背景技術】
【０００２】
従来、テレビジョン番組等を録画する録画装置において、例えば連続ドラマのように、所定の曜日における同一時間帯且つ同一チャンネルにおいて放送される連続番組に対応して、周期的に録画を実行するための予約情報を生成する機能を搭載するものが数多く存在する。この場合、仮に録画対象となっていた番組が終了した際には、ユーザが手動で録画予約を解除することが必要であった。このような問題に対し、特許文献１に記載の記録装置では、現在広く普及しているＥＰＧ（Electronic Program Guide）を利用して取得した番組情報に基づいて、録画対象となっている番組が最終回であるか否かを判別し、最終回であると判別した場合にはその番組を録画した後に予約情報を消去する技術が開示されている。
【特許文献１】特開２００３−３２５９２号公報
【発明の開示】
【発明が解決しようとする課題】
【０００３】
しかしながら、上記の記録装置では、文字情報が含まれていないと予約情報が消去されないのは言うまでもないが、取得した番組情報のなかに最終回を識別するための文字情報等が含まれるか否かによって番組が最終回であるか否かを判別しているため、仮に番組タイトル自体が「最終」という文字を含む場合に誤って最終回だと判別してしまう虞があり、最終回であるとの判別に係る誤認が生じる可能性が高い。これにより、最終回でないにもかかわらず予約情報が消去されたことにより次回以降の録画が行われないといった不測の事態も想定される。
【０００４】
上記の問題に鑑み、本発明は、連続番組を記録するための予約情報を番組の最終回に応じて自動的に削除することが可能であるとともに、番組が最終回であるとの判別に係る誤認に起因し、誤って予約情報を削除してしまう虞のないデータ記録装置およびプログラムを提供することをその課題とする。
【課題を解決するための手段】
【０００５】
本発明のデータ記録装置は、記録チャンネル、記録曜日、および記録時間帯に関する情報を含むとともに、連続番組の記録を予約するための情報である予約情報を記憶する予約情報記憶手段と、記憶した予約情報に従って番組の記録を実行する番組記録手段と、番組の名称、放送チャンネル、放送日および放送時間帯を含む番組詳細情報を取得する番組詳細情報取得手段と、取得した番組詳細情報に基づいて、番組が最終回であるか否かを判別する番組終了判別手段と、取得した番組詳細情報に基づいて、現在記録対象となる今回記録番組と、当該今回記録番組の次に記録対象となる次回記録番組と、が同一の番組であるか否かを判別する同一番組判別手段と、番組終了判別手段により今回記録番組が最終回であると判別され、且つ同一番組判別手段により今回記録番組と次回記録番組とが同一の番組でないと判別された場合、今回記録番組が記録された後、予約情報を削除する予約情報削除手段と、を備えることを特徴とする。
【０００６】
この構成によれば、取得した番組詳細情報に基づいて番組が最終回であると判別された場合に加え、最終回であると判別された番組（今回記録番組）と、この番組の放送枠において次回放送される番組（次回記録番組）と、が同一の番組であるか否かをさらに判別し、同一の番組でないと判別された場合にのみ予約情報を削除するので、番組が最終回であるかの判別に係る誤認に起因し、誤って予約情報が削除される虞がない。例えば、実際は番組が最終回でないにもかかわらず、番組名称に含まれる「最終」等の文字に起因し、番組終了判別手段において「番組が終了する」との誤認が生じることが想定されるが、このような場合には、同一番組判別手段により、最終回であると判別された番組と、この番組の放送枠において次回放送される番組と、が同一の番組であると判別されることから、予約情報は削除されないこととなる。従って、番組の最終回に応じた予約情報削除処理の確実性が保証される。
【０００７】
上記のデータ記録装置において、予約情報の記録時間帯を変更する記録時間帯変更手段、をさらに備え、番組終了判別手段により今回記録番組が最終回であると判別され、且つ同一番組判別手段により今回記録番組と次回記録番組とが同一の番組でないと判別した場合、同一番組判別手段は、次回記録番組が今回記録番組に関連する番組であるか否かをさらに判別し、次回記録番組が今回記録番組に関連する番組であると判別した場合、記録時間帯変更手段は、取得した次回記録番組の番組詳細情報に含まれる放送時間帯に対応して、次回記録番組を記録対象とする予約情報の記録時間帯を変更し、予約情報削除手段は、次回記録番組が記録された後、予約情報を削除することが好ましい。
【０００８】
この構成によれば、番組の最終回放送の後、次回放送枠においてその番組の総集編といったスペシャル番組を放送することがよく行われるが、本発明では、番組が最終回であると判別された番組（今回記録番組）と、この番組の放送枠において次回放送される番組（次回記録番組）と、が関連する番組であるか否かをさらに判別し、関連する番組であると判別した場合には、次回記録番組が記録された後、予約情報を削除することから、予約情報により記録対象となっていた番組のスペシャル番組を含めて記録を行った後、自動的に予約情報が削除されることとなり、さらに利便性が向上し得る。また、スペシャル番組は通常番組の放送時間帯とは異なる時間帯で放送されることが多いが、本発明では、スペシャル番組の放送時間帯に対応して予約情報の記録時間帯を変更するので、放送時間帯の変更にも柔軟に対応することが可能である。なお、同一番組判別手段による今回記録番組と次回記録番組とが関連する番組であるか否かの判別は、例えば次回記録番組の番組名称の中に、今回記録番組の番組名称に加え、「スペシャル」または「特番」といったスペシャル番組であることを示す文字列が含まれるか否かにより判別することが想定される。
【０００９】
上記のデータ記録装置において、予約情報が複数の場合であって、記録時間帯変更手段により複数の予約情報のうち何れか１の予約情報の記録時間帯を変更した結果、１の予約情報の記録時間帯の少なくとも一部が他の予約情報の記録時間帯と重複する場合、重複している旨を報知する時間帯重複報知手段、をさらに備えることが好ましい。
【００１０】
この構成によれば、スペシャル番組の放送時間に対応して予約情報の記録時間帯を変更した結果、変更した記録時間帯（の少なくとも一部）が他の予約情報の記録時間帯に重複してしまった場合でも、その旨を報知することによりユーザが何らかの対応をとることが可能となる。なお、ユーザに問い合わせる構成に代え、どのような対応を行うかを予め設定情報として記憶しておく構成でもよい。
【００１１】
上記のデータ記録装置において、番組詳細情報には番組の放送回数がさらに含まれることが好ましい。
【００１２】
この構成によれば、番組詳細情報に含まれる例えば番組名称に加え、放送回数に基づいて番組が最終回であるか否かを判別することができる。これにより、例えば連続的に放送される番組において、放送回数が１回目のときに最終回である可能性は低いことから、放送回数に応じて番組が最終回であるかを判別する処理を省略する等、効率的に処理を実現することが可能である。
【００１３】
上記のデータ記録装置において、番組終了判別手段は、番組詳細情報に加え、予約情報に従って記録を行った当該予約情報毎の記録回数に基づいて番組が最終回であるか否かを判別することが好ましい。
【００１４】
この構成によれば、番組詳細情報に含まれる例えば番組名称に加え、予約情報により記録対象となっている番組の記録回数に基づいて番組が終了するか否かを判別することができる。例えば、記録回数が所定の回数に達している場合には、番組名称に最終回を示す文字が含まれなかったとしても、最終回と判別する等により、最終回の見落とし防止に役立てることができる。
【００１５】
上記のデータ記録装置において、番組終了判別手段により今回記録番組が終了しないと判別され、且つ同一番組判別手段により今回記録番組と次回記録番組とが同一の番組でないと判別された場合、今回記録番組が記録された後、次回記録番組を記録対象とする予約情報を一時的に無効とする予約情報スキップ手段、をさらに備え、同一番組判別手段は、予約情報が無効状態にあるとき、今回記録番組と、次回記録番組の記録後に記録対象となる次々回記録番組と、が同一の番組であるか否かをさらに判別し、今回記録番組と次々回記録番組とが同一の番組であると判別された場合、予約情報スキップ手段は、予約情報の無効状態を解除するとともに、今回記録番組と次々回記録番組とが同一の番組でないと判別された場合、予約情報削除手段は、無効状態にある予約情報を強制削除することが好ましい。
【００１６】
この構成によれば、例えば連続番組の放送枠において、一時的にプロ野球やサッカーの試合といった別の番組を挿入して放送することがよく行われるが、番組終了判別手段により今回記録番組が最終回でないと判別された場合でも、同一番組判別手段により今回記録番組と次回記録番組とが異なる番組であると判別された場合は予約情報を一時的に無効とするため、一時的に挿入して放送された別の番組が無駄に記録される虞がない。さらに、今回記録番組と次々回記録番組とが同一の番組であると判別された場合には、予約情報の無効状態を解除するので、記録対象となる番組の放送再開に応じて自動的に記録が再開されることとなり便利である。
【００１７】
また、今回記録番組と次々回記録番組とが異なる番組と判別された場合には、無効状態にある予約情報を強制削除することから、仮に番組詳細情報に番組終了を示すような情報（例えば「最終回」文字列等）が含まれないことにより、番組終了判別手段が番組の終了を判別できなかったとしても、この段階（次々回記録番組が放送される段階）で予約情報が削除されるので、最終回の見落としによる無駄な記録を最低限に留めることが可能である。
【００１８】
上記のデータ記録装置において、番組終了判別手段および同一番組判別手段による判別の実行日時が特定の期間内である場合、予約情報削除手段による強制削除機能をＯＦＦする削除機能ＯＦＦ手段、をさらに備えることが好ましい。
【００１９】
この構成によれば、特定の期間内に限り、予約情報を強制削除する強制削除機能をＯＦＦするので、例えば放送日程が変則的になる年末年始等を特定の期間として設定し、この間は強制削除機能をＯＦＦすることにより、削除する必要のない予約情報が強制削除されてしまう虞を未然に防止することができる。
【００２０】
上記のデータ記録装置において、番組終了判別手段により今回記録番組が最終回であると判別された場合、今回記録番組を記録対象とする予約情報を削除するか否かを問い合わせる削除可否問合せ手段、をさらに備え、予約情報削除手段は、削除可否問合せ手段に応じて削除可の指示が下された場合に、予約情報を削除することが好ましい。
【００２１】
この構成によれば、番組終了判別手段により番組が最終回であると判別された場合、予約情報を削除するか否かをユーザの判断に委ねることにより、ユーザの意図を確実に反映した対応が可能となる。
【００２２】
上記のデータ記録装置において、削除可否問合せ手段は、予約情報を削除するか否かを問い合わせるための問合せ画面を表示する制御を行い、問合せ画面には、予約情報、取得した今回記録番組の番組詳細情報、および予約情報に従って記録を行った記録回数、が表示されることが好ましい。
【００２３】
この構成によれば、ユーザは、問合せ画面に表示された各情報を参照しながら予約情報を削除するか否かについての判断を下すことが可能となる。
【００２４】
上記のデータ記録装置において、問合せ画面には、取得した次回記録番組の番組詳細情報がさらに表示されることが好ましい。
【００２５】
この構成によれば、ユーザは、次回記録番組の番組詳細情報を参照しながら予約情報を削除するか否かについての判断を下すことができるので、予約情報を削除するか否か、すなわち次回記録番組の記録要否を容易に見極めることが可能となる。
【００２６】
上記のデータ記録装置において、予約情報削除手段により予約情報を削除したことを報知する削除報知手段、をさらに備えることが好ましい。
【００２７】
この構成によれば、予約情報が削除されたことをユーザが確実に認識することが可能となる。
【００２８】
本発明のプログラムは、コンピュータに、上記のいずれか１に記載のデータ記録装置における各手段を機能させるためのものであることを特徴とする。
【００２９】
このプログラムをコンピュータに実行させることにより、連続番組を記録するための予約情報を番組の最終回に応じて自動的に削除することが可能であるとともに、番組が最終回であるとの判別に係る誤認に起因し、誤って予約情報を削除してしまう虞のないデータ記録装置を実現することができる。
【発明を実施するための最良の形態】
【００３０】
以下、添付の図面を参照して、本発明の一実施形態に係るデータ記録装置およびプログラムについて説明する。
【００３１】
図１は、本発明の一実施形態に係るデータ記録装置１０のブロック構成図である。同図に示すように、データ記録装置１０は、外部からコンテンツを取得するコンテンツ取得部２０と、各種情報を記憶する記憶部３０と、コンテンツに含まれる音声情報（信号）や映像情報（信号）を変換するコンテンツ変換部４０と、取得したコンテンツを記録するコンテンツ記録部５０と、各種制御を行う制御部６０と、から成る。
【００３２】
コンテンツ取得部２０は、受信アンテナ８１から、地上波、ＢＳ、ＣＳ等のテレビジョン放送を受信する場合、いわゆるチューナが主要構成要素となる。また、外部機器８２（外部出力端子を有するテレビ、パーソナルコンピュータ、各種チューナ等）からコンテンツを取得する場合は、外部入力端子が主要構成要素となる。なお、特に図示しないが、コンテンツ取得部２０は、インターネットなど通信網を介して配信される映像／音楽データをコンテンツとして取得することも可能であり、その場合にはインターネット接続部分が主要構成要素となる。なお、「コンテンツ」とは、映像情報および音声情報から成るもの（テレビジョン番組など）、映像情報だけのもの（例えば無声映画など）、および音声情報だけのもの（例えば音楽やラジオ番組など）の何れかにより構成される番組を意味している。
【００３３】
また、コンテンツ取得部２０は、さらに番組詳細情報取得部２１を有し、番組詳細情報取得部２１は、日単位の放送スケジュールであり、各放送番組の番組名称、放送チャンネル、放送日、および放送時間帯の各情報を含む番組詳細情報１２０を取得する。なお、本実施形態では、番組詳細情報取得部２１は１度に複数日分の番組詳細情報１２０を取得可能であるとする。また、番組詳細情報１２０として例えばＥＰＧデータ（電子番組ガイド表）が挙げられる。
【００３４】
記憶部３０は、コンテンツ取得部２０（番組詳細情報取得部２１）が取得した番組詳細情報１２０を記憶する番組詳細情報記憶部３１と、連続ドラマやアニメ、若しくはニュース番組のように、毎日或いは毎週決まった曜日の決まった時間帯に放送される連続番組を、コンテンツ記録部５０により記録することを予約するための予約情報１３０（図２参照）を記憶する予約情報記憶部３２と、を備えている。なお、記憶部３０はハードディスク、各種半導体メモリ、各種光ディスク等により構成可能であり、その種類は問わない。
【００３５】
コンテンツ変換部４０は、取得したコンテンツに含まれる映像情報（信号）や音声情報（信号）のデコード若しくはエンコードを行う。
【００３６】
コンテンツ記録部５０は、予約情報記憶部３２の予約情報１３０に従って、取得したコンテンツの記録を行う。なお、コンテンツの記録先が光ディスク等である場合、コンテンツ記録部５０はドライブが主構成要素となる。また、コンテンツの記録先がハードディスク等である場合には、制御部６０がコンテンツ記録部５０として機能することとなる。
【００３７】
制御部６０は、例えばＣＰＵが主要構成要素となる、データ記録装置１０の各部を統括して各種制御を行うものであり、具体的には、記憶部３０に保存された番組詳細情報１２０に基づいて各種の判別を行う判別部６１と、記憶部３０に保存された予約情報１３０を操作する予約情報操作部６４と、例えば表示装置９１を用いて各種の問合せや報知を行う報知制御部６９と、を備えている。
【００３８】
判別部６１は、番組終了判別部６２および同一番組判別部６３、をさらに有しており、番組終了判別部６２は、記憶部３０に保存された番組詳細情報１２０に基づいて、判別対象となる番組が最終回であるか否かを判別する。同一番組判別部６３は、２つの番組においてそれぞれが同一の番組であるか否かについて、それぞれの番組詳細情報１２０に基づいて判別する。
【００３９】
特に同一番組判別部６３は、記憶部３０の予約情報１３０が予約対象としている連続番組において、放送日時が現在日時に直近している今回記録番組（図２（ｂ）参照）と、今回記録番組の記録後に記録対象となる次回記録番組（図２（ｂ）参照）と、が同一の番組であるか否かを判別し、また、今回記録番組と、次回記録番組の記録後に記録対象となる次々回記録番組（図２（ｂ）参照）と、が同一の番組であるか否かを判別する（詳しくは後述する）。
【００４０】
また、同一番組判別部６３は、２つの番組においてそれぞれが関連する番組であるか否かについて、それぞれの番組詳細情報１２０に基づいて判別する。特に、上述の今回記録番組と次回記録番組とが関連する番組であるか否かを判別する（詳しくは後述する）。なお、「関連する番組」とは、２つの番組において、全く同一の番組ではないが、一方の番組内容が他方の番組内容に関連する番組を意味している。
【００４１】
なお、番組終了判別部６２による判別のタイミングは、今回記録番組の番組詳細情報１２０を取得してから次回記録番組の放送開始時刻までの間で任意である。また、同一番組判別部６３による判別のタイミングは、今回記録番組と次回記録番組とが同一の（若しくは関連する）番組であるか否かを判別する場合、次回記録番組の番組詳細情報１２０を取得してから次回記録番組の放送開始時刻までの間、で任意であり、今回記録番組と次々回記録番組とが同一の番組であるか否かを判別する場合、次々回記録番組の番組詳細情報１２０を取得してから次々回記録番組の放送開始時刻までの間、で任意である。但し、判別を行うまでは、今回記録番組の番組詳細情報１２０を記憶しておく必要がある。
【００４２】
予約情報操作部６４は、予約情報１３０を記憶部３０から削除する予約情報削除部６５と、予約情報１３０に含まれる記録時間帯を変更する記録時間帯変更部６６と、予約情報１３０を一時的に無効にする予約情報スキップ部６７と、予約情報削除部６５による予約情報１３０の強制削除機能（後述する）をＯＦＦする削除機能ＯＦＦ部６８と、をさらに備えている。
【００４３】
予約情報削除部６５は、予約情報１３０が予約対象としている連続番組において、放送日時が現在日時に直近している今回記録番組が、番組終了判別部６２によって「最終回である」と判別され、且つ同一番組判別部６３によって、今回記録番組と次回記録番組とが「同一の番組でない」と判別された場合、予約情報１３０を削除する。すなわち、今回記録番組が最終回であることを確定した際には、次回以降の記録は不要であるとして予約情報１３０を削除するものである。
【００４４】
また、予約情報削除部６５は、番組終了判別部６２により今回記録番組が「最終回でない」と判別された場合であっても、今回記録番組と、上述の次々回記録番組（今回記録番組の次の次に記録対象となる番組）とが、同一番組判別部６３により「同一の番組でない」と判別された場合には、予約情報１３０を強制削除する（強制削除機能）。これは、番組終了判別部６２が実際には最終回である番組を「最終回でない」と判別する可能性もあることから、同一の番組が２回続けて放送されない場合には、最終回の見落としとして予約情報１３０を削除するものである。
【００４５】
記録時間帯変更部６６は、同一番組判別部６３により、今回記録番組と次回記録番組とが「関連する番組である」と判別した場合、予約情報１３０の記録時間帯を、次回記録番組の放送時間帯に合わせて変更する。予約情報スキップ部６７は、番組終了判別部６２により今回記録番組が「最終回でない」と判別され、且つ同一番組判別部６３によって、今回記録番組と次回記録番組とが「同一の番組でない」と判別された場合、今回記録番組が記録された後、次回記録番組を予約対象としている予約情報１３０を一時的に無効とする。言い換えれば、予約情報１３０に従った次回記録番組の記録をスキップさせる。
【００４６】
削除機能ＯＦＦ部６８は、番組終了判別部６２および同一番組判別部６３による判別の実行日時が特定の期間内であるときには、上述した予約情報削除部６５による予約情報１３０の強制削除機能をＯＦＦにする。これは、例えば年末年始等の特定の期間は放送スケジュールが変則的になるため、最終回を迎えていない連続番組を記録対象とした予約情報１３０を誤って削除しないようにするためである。なお、「特定の期間」に関する設定は、例えば年末年始を特定の期間として定めた設定情報を予めデータ記録装置１０内に記憶しておき、ユーザがこの設定情報を自由に変更可能にするとよい。
【００４７】
報知制御部６９は、削除報知部７０および記録時間帯重複報知部７１をさらに有しており、削除報知部７０は、予約情報削除部６５による予約情報１３０の削除に伴って、予約情報１３０が削除されたことを報知するための制御を行う。また、記録時間帯重複報知部７１は、記録時間帯変更部６６による予約情報１３０の記録時間帯変更によって、変更した記録時間帯の少なくとも一部が、他の予約情報１３０の記録時間帯と重複した場合に、その旨を報知するための制御を行う。また、記録時間帯重複報知部７１は、記録時間帯の重複報知制御を行うことにより、次回記録番組のさらなる記録時間帯変更、または次回記録番組の記録要否に関する指示を、例えば入力装置９２（例えば赤外線を介してデータ記録装置１０と通信を行うコントローラを想定）を介して取得する。なお、報知制御部６９の各手段による報知制御の具体的な一例としては、表示装置９１にメッセージ画面を表示させる制御を行うことが想定される。
【００４８】
続いて、図２を参照し、予約情報１３０について具体的に説明する。上述のように予約情報１３０は、毎日或いは毎週決まった曜日の決まった時間帯に放送される連続番組をコンテンツ記録部４１により記録することを予約するための情報であり、記録対象となる放送チャンネル、曜日、および時間帯に関する情報が含まれている。例えば、同図（ａ）に示す予約情報Ａの場合、放送チャンネル「８」において、毎週月曜日の午後９時〜午後９時５４分に放送される連続番組が記録され、予約情報Ｂの場合、放送チャンネル「４」において、毎週月曜日〜金曜日の午後１２時〜午後１時５４分に放送される連続番組が記録される。また、予約情報Ｃの場合では、放送チャンネル「１」において、午前６時〜午前６時５０分に毎日放送される連続番組が記録される。
【００４９】
また、同図（ｂ）に示すように、現在日時が８月１８日金曜日、午後６時であるとき、予約情報Ａの例では、今回記録番組は、放送チャンネル「８」において、８月２１日の午後９時から午後９時５４分に放送される番組となり、次回記録番組は、同チャンネルにおいて、８月２８日の午後９時から午後９時５４分に放送される番組となる。さらに次々回記録番組は、同チャンネルにおいて、９月４日の午後９時から午後９時５４分に放送される番組となる。
【００５０】
続いて、図３を参照し、番組終了判別部６２による判別方法について説明する。図３は、例えば８月２１日月曜日、午後９時〜午後１０時の放送枠において放送される４つの番組の番組詳細情報１２０を示している。上述したように、番組終了判別部６２は、取得した番組詳細情報１２０に基づいて、番組が最終回であるか否かを判別するが、より具体的には、取得した番組詳細情報１２０に含まれる番組名称の中に「（終）」、「完」、「Ｅｎｄ」、「最終回」といった最終回を表す文字が含まれるか否かによって、番組が最終回であるか否かを判別する。
【００５１】
例えば、図示する放送チャンネル「１」の番組名称は、「ニュース２１〔最終回〕」であり、番組名称の中に最終回を表す文字が含まれることから、番組終了判別部６２は、この番組が「最終回である」と判別する。同様に、図示する放送チャンネル「８」の番組名称は、「東遊記（終）」であり、番組名称の中に最終回を表す文字が含まれることから、番組終了判別部６２は、この番組が「最終回である」と判別する。一方、図示する放送チャンネル「１２」の番組名称は、「湯煙紀行」であり、番組名称の中に最終回を表す文字が含まれないことから、番組終了判別部６２は、この番組が「最終回でない」と判別する。
【００５２】
また、図示する放送チャンネル「４」の番組名称は、「最終回の悲劇」であり、番組名称の中に最終回を表す文字が含まれることから、番組終了判別部６２は、この番組が最終回であると判別する。すなわち、この例では、実際には番組が最終回でないにもかかわらず、番組終了判別部６２が「最終回である」と判別する可能性がある。反対に、番組が最終回であっても、番組名称の中に最終回を表す文字が含まれない場合には、番組終了判別部６２は、番組が「最終回でない」と判別することとなる。
【００５３】
さらに、同一番組判別部６３による判別方法について説明する。図４（ａ）は、記録チャンネル「１２」、記録曜日「月曜日」、記録時間帯「午後９時〜午後９時５４分」を含む予約情報１３０における、現在日時８月２１日午後１２時時点の今回記録番組、次回記録番組、次々回記録番組の各番組詳細情報１２０を示している（なお、８月２１日時点で９月４日放送分の番組詳細情報１２０を取得することは現実的ではないが、説明の便宜上ここでは取得可能とする）。また、図４（ｂ）は、記録チャンネル「８」、記録曜日「月曜日」、記録時間帯「午後９時〜午後９時５４分」である予約情報１３０における、現在日時８月２１日午後１２時時点の今回記録番組、次回記録番組、次々回記録番組の各番組詳細情報１２０を示している。
【００５４】
上述したように、同一番組判別部６３は、取得した番組詳細情報１２０に基づいて、２つの番組が同一であるか否か、若しくは関連するか否かを判別するが、より具体的には、取得した番組詳細情報１２０に含まれる番組名称が同一であるか否かにより同一の番組であるか否かを判別し、２つの番組において、一方の番組名称が、他方の番組名称に加え「特番」、「スペシャル」、「総集編」、「ダイジェスト」といった関連する番組であることを示す文字を含むか否かによって、関連する番組であるか否かを判別する。
【００５５】
例えば、同図（ａ）に示す例では、今回記録番組の番組名称「湯煙紀行」に対し、次回記録番組の番組名称は「サッカー  日本VS韓国」であり、番組名称は同一ではないので、同一番組判別部６３は、今回記録番組と次回記録番組とは「同一の番組でない」と判別する。また、今回記録番組と次々回記録番組とでは、番組名称はそれぞれ「湯煙紀行」であり同一であることから、同一番組判別部６３は、今回記録番組と次々回記録番組とが「同一の番組である」と判別する。
【００５６】
また、同図（ｂ）に示す例では、今回記録番組の番組名称「東遊記（終）」に対し、次回記録番組の番組名称は「東遊記  総集編」であり、次回記録番組の番組名称の中に、今回記録番組の番組名称に加え、「総集編」という関連する番組であることを示す文字が含まれていることから、同一番組判別部６３は、今回記録番組と次回記録番組とは「関連する番組である」と判別する。また、今回記録番組と次々回記録番組とでは、今回記録番組の番組名称「東遊記（終）」に対し、次々回記録番組の番組名称は「ニュースな女」であり、番組名称は同一ではないので、同一番組判別部６３は、今回記録番組と次々回記録番組とは「同一の番組でない」と判別する。
【００５７】
なお、厳密に言えば「東遊記」と「東遊記（終）」とでは、番組名称が同一であるとは言えないが、データ記録装置１０は、「（終）」の文字が最終回を表す文字であると定義しているので、同一番組判別部６３は、「東遊記」と「東遊記（終）」とを「同一である」と判別することができる。「東遊記（終）」と「東遊記  総集編」とを「関連する」と判別するのも同じ理由である。
【００５８】
ここで、図５および図６に示すフローチャートを参照し、上述したデータ記録装置１０各部により行われる各処理の全体的な流れについて説明する。まず、番組終了判別部６２は、今回記録番組の番組詳細情報１２０の取得に応じて、今回記録番組が最終回であるか否かを判別する（Ｓ０１）。そして、「最終回である」と判別した場合（Ｓ０１；Ｙｅｓ）、終了フラグをＯＮにする（Ｓ０２）。「最終回でない」と判別した場合には（Ｓ０１；Ｎｏ）、何もしない。
【００５９】
次に、同一番組判別部６３は、次回記録番組の番組詳細情報１２０の取得に応じて、今回記録番組と次回記録番組とが同一の番組であるか否かを判別する（Ｓ０３）。そして、「同一の番組でない」と判別した場合（Ｓ０３；Ｎｏ）、番組フラグをＯＮにする（Ｓ０４）。「同一の番組である」と判別した場合には（Ｓ０３；Ｙｅｓ）、ここで処理を終了する（図６参照）。
【００６０】
続いて、データ記録装置１０の制御部４０は、フラグの状況を確認し（Ｓ０５）、終了フラグおよび番組フラグのどちらもＯＮである場合、さらに、同一番組判別部６３は、今回記録番組と次回記録番組とが関連する番組であるか否かを判別する（Ｓ０６）。判別の結果、今回記録番組と次回記録番組とが関連する番組でない場合（Ｓ０６；Ｎｏ）、予約情報削除部６５は、今回記録番組が記録された後、予約情報１３０を削除する（Ｓ０７；図６参照）。
【００６１】
一方、今回記録番組と次回記録番組とが関連する番組であるか否かを判別した結果、今回記録番組と次回記録番組とが関連する番組である場合（Ｓ０６；Ｙｅｓ）、図６に示すように、記録時間帯変更部６６は、次回記録番組の放送時間帯に合わせて予約情報１３０の記録時間帯を変更する（Ｓ０８）。そして、記録時間帯を変更した結果、変更した記録時間帯の少なくとも一部が他の予約情報１３０の記録時間帯と重複した場合には（Ｓ０９；Ｙｅｓ）、記録時間帯重複報知部７１が、その旨を報知する制御を行う（Ｓ１０）。また、変更した記録時間帯が他の予約情報１３０の記録時間帯と重複しない場合には（Ｓ０９；Ｎｏ）、次回記録番組が記録された後、予約情報削除部６５は、予約情報１３０を削除する（Ｓ１１）。
【００６２】
また、記録時間帯重複報知部７１により記録時間帯が重複している旨を報知した結果、次回記録番組を記録する旨の指示を取得した場合には（Ｓ１２；Ｙｅｓ）、次回記録番組が記録された後、予約情報削除部６５は、予約情報１３０を削除する（Ｓ１１）。また、次回記録番組を記録しない旨の指示を取得した場合には（Ｓ１２；Ｎｏ）、今回記録番組が記録された後、予約情報削除部６５は、予約情報１３０を削除する（Ｓ０７）。
【００６３】
一方、フラグ状況の確認において（Ｓ０５；図５参照）、番組フラグのみがＯＮである場合、予約情報スキップ部６７は、今回記録番組が記録された後、予約情報１３０を一時的に無効とする（Ｓ１３）。そして、次々回記録番組の番組詳細情報１２０取得に応じて、同一番組判別部６３が、今回記録番組と次々回記録番組とが同一の番組であるか否かを判別する（Ｓ１４）。今回記録番組と次々回記録番組とが「同一の番組である」と判別した場合（Ｓ１４；Ｙｅｓ）、予約情報スキップ部６７は、予約情報１３０の無効状態を解除する（Ｓ１５）。すなわち、次々回記録番組放送より、予約情報１３０に従った番組記録が再開されることとなる。
【００６４】
また、今回記録番組と次々回記録番組とが「同一の番組でない」と判別した場合には（Ｓ１４；Ｎｏ）、予約情報削除部６５は、次々回記録番組放送前に予約情報１３０を削除する（強制削除機能）（Ｓ１６）。但しこの場合、判別日時が特定の期間（年末年始等）に該当する際には、強制削除機能は削除機能ＯＦＦ部６８によりＯＦＦされており、予約情報１３０の削除は行われない。なお、図示は省略したが、予約情報１３０の削除に応じて（Ｓ０７，Ｓ１１，Ｓ１６に該当）、削除報知部７０は、予約情報１３０を削除した旨を報知する制御を行う。
【００６５】
なお、番組詳細情報１２０に、番組の放送回数が含まれる場合には、さらにこの情報に基づいて番組終了判別部６２による判別を行ってもよい。この場合、例えば放送回数が１回である場合には、無条件で最終回でないと判別したり、番組名称に最終回を表す文字が含まれないときにも、放送回数が所定回数に達した場合には最終回であると判別したりすることが想定される。また、放送回数に代えて、予約情報１３０毎の記録回数を参照してもよい。さらに、判別を行った日時が特定の期間に該当し、且つ放送回数が所定回数に達したら、最終回であると判別する、といった判別方法を利用してもよい。これにより、番組が最終回であるか否かの判別に係る精度をより向上させ得る。
【００６６】
また、同時に記録可能な放送枠が複数ある場合（複数チャンネルを同時に記録できる場合）には、記録時間帯が重複している予約情報１３０の数が、同時に記録可能な放送枠の数を超え次第、記録時間帯重複報知部７１の制御による報知（Ｓ１０に該当）を行う構成でもよい。さらに、記録時間帯重複報知部７１による報知制御に代え、予約情報１３０の記録時間帯が重複した場合（Ｓ０９；Ｙｅｓに該当）、次回記録番組の記録を優先するか、他の予約情報１３０に従った記録を優先するかに関する設定情報を記憶しておき、この設定情報に従った処理を行う構成でもよい。
【００６７】
さらに、次回記録番組の記録後に予約情報１３０を削除する構成に代え（Ｓ１１に該当）、次回記録番組の記録前に予約情報１３０を削除し、次回記録番組だけの記録を予約する予約情報１３０を生成してもよい。また、今回記録番組に関連する番組が続けて放送される可能性もあるので、予約情報１３０を削除する前に、次回記録番組と次々回記録番組とが関連する番組であるか否か（若しくは同一の番組であるか否か）をさらに判別し、次回記録番組と次々回記録番組とが「関連する番組でない（若しくは同一の番組でない）」と判別した場合にのみ、予約情報１３０を削除するとなおよい。
【００６８】
また、番組の最終回放送に伴う放送時間帯の変更に対応するべく、「今回記録番組が最終回である」との判別に応じて、記録時間帯変更部６６が、今回記録番組の放送時間帯に合わせて予約情報１３０の記録時間帯を変更する構成でもよい。さらに、連続番組が最終回を迎える以前に、スペシャル番組を放送する場合もあるので、これに対応するべく、番組終了判別部６２が「今回記録番組が最終回でない」と判別し、且つ同一番組判別部６３が「今回記録番組と次回記録番組とが同一の番組でない」と判別した場合（Ｓ０５において番組フラグのみがＯＮの状態）、さらに今回記録番組と次回記録番組とが関連する番組であるか否かを判別し、「関連する番組である」と判別した場合には、記録時間帯変更部６６が、次回記録番組の放送時間帯に合わせて予約情報１３０の記録時間帯を変更する構成でもよい。
【００６９】
さらに、記録時間帯重複報知部７１による報知制御の具体例について説明する。図７は、記録時間帯重複報知部７１による制御により表示装置９１に画面表示される重複報知画面Ｄ１の一例を示している。図示するように、重複報知画面Ｄ１には、記録時間帯の少なくとも一部が互いに重複している各予約情報１３０の記録チャンネル１０１、記録日１０２、記録時間帯１０３に加え、取得した番組詳細情報１２０に基づき、該当する放送枠の番組名称１０４がそれぞれ表示される。
【００７０】
また、重複報知画面Ｄ１では、ユーザが入力装置９２を用いることにより、何れかの予約情報１３０を選択し、記録時間帯の変更、若しくは予約情報１３０の削除を行うことが可能となっている（図示では予約情報Ａが選択状態であることを示す）。従って、ユーザは、各予約情報１３０の記録時間帯が重複しないよう記録時間帯を調整したり、不要である予約情報１３０を削除することができる。
【００７１】
なお、図示する予約情報Ｂが、連続番組「ＡＢＣニュース」を周期的に記録するための予約情報１３０であり、この予約情報Ｂを削除することが指示された場合には、記録時間帯が予約情報Ａと重複している放送日「８月２８日」の記録だけをキャンセルするのか、若しくは連続番組「ＡＢＣニュース」を周期的に記録することをキャンセルするのかを、さらにユーザに問い合わせ、問合せに応じて取得した指示に従った対応を行うとよい。
【００７２】
以上説明したように、上記した第１実施形態に係るデータ記録装置１０によれば、取得した番組詳細情報１２０に基づいて番組が終了すると判別された場合に加え、番組が終了すると判別された番組（今回記録番組）と、この番組の放送枠において次回放送される番組（次回記録番組）と、が同一の番組であるか否かをさらに判別し、同一の番組でないと判別された場合にのみ予約情報１３０を削除するので、番組が最終回であるとの判別に係る誤認に起因し、誤って予約情報が削除される虞がない。
【００７３】
なお、予約情報削除部６５による予約情報１３０の削除機能、記録時間帯変更部６６による予約情報１３０の記録時間帯変更、予約情報スキップ部６７による予約情報の無効化機能、の各機能について、ＯＮ／ＯＦＦを切替える手段をさらに設けてもよい。これにより、ユーザが、全ての予約情報１３０について、手動で削除や変更を行いたいと所望した場合、この要望に応えることが可能となる。
【００７４】
続いて、本発明の第２実施形態に係るデータ記録装置１０について説明する。第２実施形態に係るデータ記録装置１０は、番組終了判別部６２により今回記録番組が最終回であることを判別した場合、予約情報１３０を削除するか否かを問い合わせる制御を実行する。すなわち、予約情報１３０を削除するか否かをユーザの判断に委ねるものである。
【００７５】
第２実施形態に係るデータ記録装置１０は、報知制御部６９（図１参照）において、削除可否問合せ部（図示省略）を備えている。削除可否問合せ部は、番組終了判別部６２により今回記録番組が最終回であることを判別した場合、予約情報１３０を削除するか否かを問い合わせる制御を実行する。
【００７６】
図８は、削除可否問合せ部による制御により表示装置９１に画面表示される削除可否問合せ画面Ｄ２の一例を示している。図示するように、重複報知画面Ｄ１は、現在日時を表示する現在日時表示部１１１、今回記録番組と同一、若しくは近傍する放送枠において放送される各番組の番組詳細情報１２０を表示する放送枠共通番組表示部１１２、今回記録番組の番組詳細情報１２０を表示する今回記録番組表示部１１３、今回記録番組を予約対象とする予約情報１３０の詳細を表示する予約情報表示部１１４、次回記録番組の番組詳細情報１２０を表示する次回記録番組表示部１１５、予約情報１３０の削除を指示するための操作方法、若しくは予約情報を削除せずに削除可否問合せ画面Ｄ２を閉じるための操作方法、を表示するメッセージ表示部１１６、から構成されている。
【００７７】
そして、ユーザは、この削除可否問合せ画面Ｄ２を参照し、入力装置９２を操作して予約情報１３０を削除するか否かに関する指示を行うことにより、自身の意図を確実に反映した指示をデータ記録装置１０に対して行うことが可能であり、言い換えれば、データ記録装置１０は、ユーザの意図を確実に反映した対応を実行することが可能となる。また、図示するように、予約情報表示部１１４には、予約情報１３０毎の記録回数、が表示される。従って、ユーザは、表示された記録回数をさらに参考にしながら、予約情報１３０の削除を行うか否かを決定することができる。また、番組詳細情報１２０に番組の放送回数が含まれる場合には、今回記録番組表示部１１３において、さらに放送回数を表示してもよい。
【００７８】
なお、次回記録番組の番組詳細情報１２０を取得する前に、この削除可否問合せ画面Ｄ２を表示する場合には、次回記録番組の番組詳細情報１２０の表示（次回記録番組表示部１１５）を省略してもよい。この場合、ユーザが、予約情報１３０を削除するか否かに関する指示を保留することを可能とし、指示が保留された場合には、次回記録番組の番組詳細情報１２０を取得した後、再度削除可否問合せ画面Ｄ２を表示させてもよい。また、番組終了判別部６２により今回記録番組が最終回であることを判別した予約情報１３０が複数存在する場合には、各予約情報１３０を一覧表示し、ユーザがそれぞれの予約情報１３０について、削除するか否かに関する指示を行い得るようにすればよい。この場合、例えば今回記録番組が最終回であることを判別した予約情報１３０を一覧表示する画面において、ユーザが何れか１の予約情報１３０を選択することにより、選択された予約情報１３０についての削除可否問合せ画面Ｄ２を表示する構成でもよい。
【００７９】
このように、本第２実施形態に係るデータ記録装置１０によれば、番組終了判別部６２により番組が最終回であると判別された場合、予約情報１３０を削除するか否かをユーザの判断に委ねることにより、ユーザの意図を確実に反映した対応が可能となる。また、上記の削除可否問合せ画面Ｄ２を利用して、記録時間帯変更部６６による予約情報１３０の記録時間帯変更や、予約情報スキップ部６７による予約情報１３０の一時的な無効化、に関する指示をさらに取得する構成でもよい。
【００８０】
なお、上記の例に示したデータ記録装置１０の各機能をプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリスティック等）、コンパクトディスク、光磁気ディスク、デジタルバーサタイルディスクおよびフレキシブルディスク、ハードディスク等を利用可能である。
【００８１】
また、上記の実施形態におけるデータ記録装置１０の例によらず、装置構成や処理工程等について、本発明の要旨を逸脱しない範囲で、適宜変更も可能である。
【図面の簡単な説明】
【００８２】
【図１】データ記録装置の機能ブロック図である。
【図２】予約情報（ａ）、および今回記録番組、次回記録番組、次々回記録番組（ｂ）、の各具体例を示す図である。
【図３】番組終了判別部による判別方法を説明するための説明図である。
【図４】同一判別部による判別方法を説明するための説明図である。
【図５】予約情報が削除されるまでの一連を表すフローチャートである。
【図６】図５に続く予約情報が削除されるまでの一連を表すフローチャートである。
【図７】記録時間帯重複報知部による報知の具体例を示す図である。
【図８】削除可否問合せ部による問合せの具体例を示す図である。
【符号の説明】
【００８３】
１０…データ記録装置  ２０…コンテンツ取得部  ２１…番組詳細情報取得部  ３０…記憶部  ３１…番組詳細情報記憶部  ３２…予約情報記憶部  ５０…コンテンツ記録部  ６０…制御部  ６１…判別部  ６２…番組終了判別部  ６３…同一番組判別部  ６５…予約情報削除部  ６６…記録時間帯変更部  ６７…予約情報スキップ部  ６８…削除機能ＯＦＦ部  ７０…削除報知部  ７１…記録時間帯重複報知部  １２０…番組詳細情報  １３０…予約情報
【図１】
2007274491.tif 000003
【図２】
2007274491.tif 000004
【図３】
2007274491.tif 000005
【図４】
2007274491.tif 000006
【図５】
2007274491.tif 000007
【図６】
2007274491.tif 000008
【図７】
2007274491.tif 000009
【図８】
2007274491.tif 000010